【手続補正書】
【提出日】平成28年10月28日(2016.10.28)
【手続補正１】
【補正対象書類名】明細書
【補正対象項目名】発明の名称
【補正方法】変更
【補正の内容】
【発明の名称】無線周波数電力増幅回路
【手続補正２】
【補正対象書類名】特許請求の範囲
【補正対象項目名】全文
【補正方法】変更
【補正の内容】
【特許請求の範囲】
【請求項１】
無線周波数電力増幅回路であって、
無線周波数トランシーバ送信ポートに接続可能な電力増幅器入力、アンテナに接続可能な電力増幅器出力、及び前記電力増幅器入力に結合された電力増幅器基準入力を有する無線周波数電力増幅器の１以上の段階を含む電力増幅ブロックと、
直流電源に接続可能なコンバータバイアス入力、無線周波数電力増幅器の１以上の段階をバイアス電圧信号でバイアスするために前記電力増幅ブロックに接続可能なコンバータ出力、コンバータフィードバック、及び無線周波数電力出力レベルに対応する電圧制御信号源に接続されたコンバータ基準入力を有する直流−直流電力コンバータを含む電力コンバータブロックと、
誤差増幅器を含むスプリアス補償ブロックであって、前記コンバータフィードバック及び前記コンバータ出力は、前記誤差増幅器の第１の入力と接続され、前記電圧制御信号源は、位相調整ネットワークを通じて前記誤差増幅器の第２の入力と接続され、前記誤差増幅器の出力は、誤差制御信号を生成し、かつ基準電圧信号源と共に前記電力増幅器基準入力に接続される、スプリアス補償ブロックと
を備え、
前記バイアス電圧信号は、前記誤差制御信号により相殺される前記バイアス電圧信号の電圧リップルスプリアスにより、前記誤差制御信号と逆である、無線周波数電力増幅回路。
【請求項２】
前記電圧制御信号源は、ランプ形状、ランプ立ち上がり時間勾配、及びランプ立ち下がり時間勾配により規定されるランプ信号を生成し、前記基準電圧信号源は、直流電圧信号を生成する請求項１に記載の無線周波数電力増幅回路。
【請求項３】
前記無線周波数電力増幅器の出力ポートは、スイッチングネットワークを通じて前記アンテナに接続可能である請求項１に記載の無線周波数電力増幅回路。
【請求項４】
前記電力コンバータブロックは、前記コンバータ出力に接続された出力フィルタを含む請求項１に記載の無線周波数電力増幅回路。
【請求項５】
前記スプリアス補償ブロックは、前記コンバータフィードバック及び前記コンバータ出力に接続され、かつ前記誤差増幅器の前記第１の入力に接続されるゲイン調整ネットワークを更に備える請求項１に記載の無線周波数電力増幅回路。
【請求項６】
前記スプリアス補償ブロックは、前記誤差増幅器の出力及び前記電力増幅器基準入力に接続された出力ローパスフィルタを更に備える請求項１に記載の無線周波数電力増幅回路。
【請求項７】
前記スプリアス補償ブロックは、前記誤差増幅器の出力及び前記電力増幅器基準入力に接続された直流ブロッキングキャパシタを更に備える請求項１に記載の無線周波数電力増幅回路。
【請求項８】
前記電力増幅ブロックは、無線周波数ブロッキングキャパシタを備える請求項１に記載の無線周波数電力増幅回路。
【請求項９】
前記無線周波数ブロッキングキャパシタは、前記電力増幅器基準入力と結合される請求項８に記載の無線周波数電力増幅回路。
【請求項１０】
前記無線周波数ブロッキングキャパシタは、前記電力増幅器出力と結合される請求項８に記載の無線周波数電力増幅回路。
【請求項１１】
閉ループ制御無線周波数電力増幅回路であって、
無線周波数トランシーバ送信ポートに接続可能な電力増幅器入力、アンテナに接続可能な電力増幅器出力及び前記電力増幅器入力に結合される電力増幅器基準入力を有する無線周波数電力増幅器の１以上の段階を含む電力増幅ブロックと、
直流電源に接続可能なコンバータバイアス入力、無線周波数電力増幅器の１以上の段階をバイアス電圧信号でバイアスするために電力増幅器に接続可能なコンバータ出力、コンバータフィードバック、及びコンバータ基準入力を有する直流−直流電力コンバータを含む電力コンバータブロックと、
それぞれが第１の入力、第２の入力及び出力を含む第１の誤差増幅器及び第２の誤差増幅器を含むスプリアス補償ブロックであって、前記コンバータフィードバック及び前記コンバータ出力は、前記第１の誤差増幅器の前記第１の入力に接続され、前記第２の誤差増幅器の前記出力は、位相調整ネットワーク及び前記コンバータ基準入力を通じて前記第１の誤差増幅器の前記第２の入力に接続され、前記第１の誤差増幅器の前記出力は、誤差制御信号を生成し、かつ基準電圧信号源と共に前記電力増幅器基準入力に接続され、前記第２の誤差増幅器の前記第１の入力は、電圧制御信号源に接続される、スプリアス補償ブロックと、
前記電力増幅器出力に接続される入力及び前記第２の誤差増幅器の前記第２の入力と接続される出力を含む電力検出ブロックと
を備える閉ループ制御無線周波数増幅回路。
【請求項１２】
前記電力増幅器出力に接続される入力ポート、前記アンテナに接続可能な送信ポート、前記電力検出ブロックの入力に接続される結合ポート、及びグランドに接続される絶縁ポートを含む方向性結合器を更に備える請求項１１に記載の閉ループ制御無線周波数増幅回路。
【請求項１３】
前記電力検出ブロックは、減衰器を更に含み、負荷抵抗及びキャパシタンスを規定する請求項１２に記載の閉ループ制御無線周波数増幅回路。
【請求項１４】
前記電力検出ブロックは、前記減衰器及び前記電力検出ブロックの出力に接続されるダイオードを更に含む請求項１３に記載の閉ループ制御無線周波数増幅回路。
【請求項１５】
前記電力検出ブロックは、前記減衰器に接続される入力と、前記第２の誤差増幅器の前記第２の入力に接続される出力と、を有する増幅器を更に含む請求項１３に記載の閉ループ制御無線周波数増幅回路。
【請求項１６】
無線周波数電力増幅回路であって、
無線周波数トランシーバ送信ポートに接続可能な電力増幅器入力、アンテナに接続可能な電力増幅器出力及び前記電力増幅器入力に結合される電力増幅器制御入力を有する無線周波数電力増幅器の１以上の段階を含む電力増幅ブロックと、
直流電源に接続可能なコンバータバイアス入力、前記無線周波数電力増幅器の１以上の段階をバイアス電圧信号でバイアスするために前記電力増幅ブロックに接続可能なコンバータ出力、コンバータフィードバック、及び無線周波数電力出力レベルに対応する段階電圧基準信号源に接続されるコンバータ基準入力を有する直流−直流電力コンバータを含む電力コンバータブロックと、
誤差増幅器を含むスプリアス補償ブロックであって、前記コンバータフィードバック及び前記コンバータ出力は、前記誤差増幅器の第１の入力に接続され、前記段階電圧基準信号源は、位相調整ネットワークを通じて前記誤差増幅器の第２の入力に接続され、前記誤差増幅器の出力は、誤差制御信号を生成し、かつ電圧制御信号源と共に電力増幅器基準入力に接続される、スプリアス補償ブロックと
を備え、
前記バイアス電圧信号は、前記誤差制御信号により相殺される前記バイアス電圧信号の電圧リップルスプリアスにより、前記誤差制御信号の逆位相である、無線周波数電力増幅回路。
【請求項１７】
前記電圧制御信号源は、ランプ形状、ランプ立ち上がり時間勾配、及びランプ立ち下がり時間勾配により定義されるランプ信号を生成する請求項１６に記載の無線周波数電力増幅回路。
【請求項１８】
閉ループ制御無線周波数電力増幅回路であって、
無線周波数トランシーバ送信ポートに接続可能な電力増幅器入力、アンテナに接続可能な電力増幅器出力及び前記電力増幅器入力に結合される電力増幅器制御入力を有する無線周波数電力増幅器の１以上の段階を含む電力増幅ブロックと、
直流電源に接続可能なコンバータバイアス入力、無線周波数電力増幅器の１以上の段階をバイアス電圧信号でバイアスするために電力増幅器に接続可能なコンバータ出力、コンバータフィードバック、及び無線周波数電力出力レベルに対応する段階電圧基準信号源に接続されるコンバータ基準入力を有する直流−直流電力コンバータを含む電力コンバータブロックと、
誤差増幅器を含むスプリアス補償ブロックであって、前記コンバータフィードバック及び前記コンバータ出力は、前記誤差増幅器の第１の入力に接続され、前記段階電圧基準信号源は、位相調整ネットワークを通じて前記誤差増幅器の第２の入力に接続され、前記誤差増幅器の出力は、誤差制御信号を生成し、かつ電圧制御信号源と共に電力増幅器基準入力に接続される、スプリアス補償ブロックと、
前記電力増幅器出力に接続される入力及び第２の誤差増幅器の第２の入力と接続される出力を含む電力検出ブロックと
を備える閉ループ無線周波数増幅回路。
【請求項１９】
前記電圧制御信号源は、ランプ形状、ランプ立ち上がり時間勾配、及びランプ立ち下がり時間勾配により規定されるランプ信号を生成する請求項１８に記載の閉ループ無線周波数増幅回路。
【請求項２０】
開ループ無線周波数電力増幅回路であって、
無線周波数トランシーバ送信ポートに接続可能な電力増幅器入力及びアンテナに接続可能な電力増幅器出力を有する無線周波数電力増幅器の１以上の段階を含む電力増幅ブロックと、
電圧コンバータ及びスプリアス補償ブロックと、
前記電圧コンバータ及びスプリアス補償ブロックに接続される入力と、前記電力増幅ブロックに接続される出力と、を有する電流検出及び制御ブロックと
を備え、
前記電圧コンバータ及びスプリアス補償ブロックは、
直流電源に接続可能なコンバータバイアス入力、コンバータ出力、コンバータフィードバック、及び段階電圧基準信号源に接続されるコンバータ基準入力を有する直流−直流コンバータと、
第１の入力、第２の入力及び出力を含む第１の誤差増幅器であって、前記コンバータフィードバック及び前記コンバータ出力は、前記第１の誤差増幅器の前記第１の入力に接続され、前記出力は、前記電力増幅器入力に接続される、第１の誤差増幅器と、
前記段階電圧基準信号源及び前記第１の誤差増幅器の前記第２の入力に接続される位相調整ネットワークと
を含み、
前記電流検出及び制御ブロックは、
電圧制御信号源に接続される第１の入力、前記コンバータ出力に接続される第２の入力、及び出力を有する第１の電流検出誤差増幅器と、
第２の増幅器の出力に接続される第１の入力、第２の入力、及び前記電力増幅器入力に接続される出力を有する第２の電流検出誤差増幅器と、
前記第１の電流検出誤差増幅器の第２の入力及び前記第２の電流検出誤差増幅器の第２の入力に亘って接続される検出抵抗であって、前記第２の電流検出誤差増幅器の第２の入力は、前記電流検出及び制御ブロックの出力を規定する、検出抵抗と
を含む開ループ無線周波数電力増幅回路。
【請求項２１】
前記電圧制御信号源は、ランプ形状、ランプ立ち上がり時間勾配、及びランプ立ち下がり時間勾配により規定されるランプ信号を生成する請求項２０に記載の開ループ無線周波数電力増幅回路。
【請求項２２】
前記スプリアス補償ブロックは、前記コンバータフィードバック及び前記コンバータ出力に接続され、かつ前記第１の誤差増幅器の前記第１の入力に接続されるゲイン調整ネットワークを更に含む請求項２０に記載の開ループ無線周波数電力増幅回路。
【請求項２３】
前記スプリアス補償ブロックは、前記第１の誤差増幅器の前記出力及び電力増幅器基準入力に接続される出力ローパスフィルタを更に含む請求項２０に記載の開ループ無線周波数電力増幅回路。